(57)【要約】【課題】スキャナ等の画像読取装置において、原稿すくい上げ部材５５の先端に原稿４２の先端が突きあたり、原稿４２の搬送ジャムが発生する。【解決手段】本発明の画像読取装置は、送られてきた原稿４２が上流側から下流側へ移動するＡＤＦ用読取りガラス５０と、このＡＤＦ用読取りガラス５０により覆われ、走行する原稿４２を、読取る読取りセンサ５４と、一端部５５ｄ及び他端部５５ａを有し、ＡＤＦ用読取りガラス５０の下流側に配置され、ＡＤＦ用読取りガラス５０に沿って移動する原稿４２をガイドする原稿ガイド部材５５と、原稿ガイド部材５５の一端部５５ｄに設けられ、ＡＤＦ用読取りガラス５０に圧接する変形可能な突出部５５ｃとを備えている。【選択図】図１
2011066707.tif 000002
【特許請求の範囲】
【請求項１】
対向する第１及び第２の主面を有し、送られてきた原稿が前記第１の主面に沿って上流側から下流側へ移動する透明部材と、
前記透明部材における前記第２の主面により覆われ、前記原稿を、前記透明部材を通して読取る読取りセンサと、
一端部及び他端部を有し、前記透明部材の前記下流側に配置され、前記透明部材に沿って移動する前記原稿を前記一端部から前記他端部の方向へガイドする原稿ガイド部材と、
前記原稿ガイド部材の前記一端部に設けられ、前記透明部材に圧接する変形可能な突出部と、
を備えたことを特徴とする画像読取装置。
【請求項２】
前記突出部に圧接される前記透明部材の前記下流側の端面に、面取り部を設けたことを特徴とする請求項１記載の画像読取装置。
【請求項３】
前記突出部は、弾性変形可能な材料によって形成されていることを特徴とする請求項１又は２記載の画像読取装置。
【請求項４】
対向する第１及び第２の主面を有し、送られてきた原稿が前記第１の主面に沿って上流側の端面から下流側へ移動する透明部材と、
前記透明部材における前記第２の主面により覆われ、前記原稿を、前記透明部材を通して読取る読取りセンサと、
一端部及び他端部を有し、前記透明部材の前記下流側に配置され、前記透明部材に沿って移動する前記原稿を前記一端部から前記他端部の方向へガイドする原稿ガイド部材とを備え、
前記透明部材の前記下流側の端面又は前記原稿ガイド部材の前記一端部のいずれか一方に切欠き部を形成し、他方に前記切欠き部に係合する突出部を形成したことを特徴とする画像読取装置。
【請求項５】
前記原稿を自動的に搬送する自動原稿搬送装置により、前記原稿を前記透明部材に搬送することを特徴とする請求項１〜４のいずれか１項に記載の画像読取装置。
【請求項６】
請求項１〜５のいずれか１項に記載の画像読取装置と、
前記画像読取装置によって読取られた前記原稿の情報、又は外部から入力された情報に基づいて、記録用媒体に画像を形成する画像形成装置と、
を備えたことを特徴とする複合装置。
【発明の詳細な説明】
【技術分野】
【０００１】
本発明は、画像読取装置に関し、特に、スキャナやファクシミリ装置等の画像読取装置、又は、画像読取装置が画像形成装置の上部に載置された複写機やＭＦＰ（Multi  Function  Printer/Product/Peripheral）等の複合装置に関するものである。
【背景技術】
【０００２】
従来、画像読取装置は、読取った直後の搬送中の原稿をすくい上げ、搬送方向を変更して読取済みの原稿を、例えばスタッカに排出する原稿すくい上げ部材を有している。このような原稿ガイド部材としての原稿すくい上げ部材に関しては、特許文献１に記載されているように、自動原稿搬送装置（以下「ＡＤＦ」という。）用読取りガラスとフラットベッド（以下「ＦＢ」という。）用読取りガラスとを一体で構成したコンタクトガラスを用い、原稿搬送方向の下流であって、原稿読取部の直後のコンタクトガラス上に、流動体又は接着剤を塗布又は接着して硬化することにより、原稿すくい上げ部材を形成する技術が知られている。このように構成したことにより、紙粉やごみが画像読取装置内部に進入することを防ぐことができる。
【先行技術文献】
【特許文献】
【０００３】
【特許文献１】特開平６−６２１７１号公報
【発明の概要】
【発明が解決しようとする課題】
【０００４】
しかしながら、従来の画像読取装置及び複合装置では、原稿の搬送路上において原稿すくい上げ部材の先端が原稿先端に対して突出物となり、原稿の搬送の妨げとなるため、走行原稿が搬送ジャム（原稿が詰って走行不能になる状態）を起こしてしまうという課題があった。
【課題を解決するための手段】
【０００５】
本発明の画像読取装置は、対向する第１及び第２の主面を有し、送られてきた原稿が前記第１の主面に沿って上流側から下流側へ移動する透明部材と、前記透明部材における前記第２の主面により覆われ、前記原稿を、前記透明部材を通して読取る読取りセンサと、一端部及び他端部を有し、前記透明部材の前記下流側に配置され、前記透明部材に沿って移動する前記原稿を前記一端部から前記他端部の方向へガイドする原稿ガイド部材と、前記原稿ガイド部材の前記一端部に設けられ、前記透明部材に圧接する変形可能な突出部とを備えている。
【０００６】
本発明の他の画像読取装置は、対向する第１及び第２の主面を有し、送られてきた原稿が前記第１の主面に沿って上流側の端面から下流側へ移動する透明部材と、前記透明部材における前記第２の主面により覆われ、前記原稿を、前記透明部材を通して読取る読取りセンサと、一端部及び他端部を有し、前記透明部材の前記下流側に配置され、前記透明部材に沿って移動する前記原稿を前記一端部から前記他端部の方向へガイドする原稿ガイド部材とを備え、前記透明部材の前記下流側の端面又は前記原稿ガイド部材の前記一端部のいずれか一方に切欠き部を形成し、他方に前記切欠き部に係合する突出部を形成している。
【０００７】
本発明の複合装置は、前記画像読取装置と、前記画像読取装置によって読取られた前記原稿の情報、又は外部から入力された情報に基づいて、記録用媒体に画像を形成する画像形成装置とを備えている。
【発明の効果】
【０００８】
本発明の画像読取装置及び複合装置によれば、原稿の搬送路上に原稿搬送の妨げになるような突出物がないので、原稿の搬送ジャムが無い安定した原稿搬送ができる。更に、原稿すくい上げ部材の突出部が変形して透明部材に圧接することで密着状態が保たれ、透明部材と原稿すくい上げ部材の隙間を塞ぐことができるため、画像読取装置内へのごみの進入を防ぐことが可能となる。
【０００９】
本発明の他の画像読取装置及び複合装置によれば、原稿の搬送路上に原稿搬送の妨げになるような突出物がないので、原稿の搬送ジャムが無い安定した原稿搬送ができる。更に、原稿すくい上げ部材と透明部材の組立ては、単純な係合による組立てであり、透明部材と原稿すくい上げ部材の隙間を塞ぐことができるため、組立て間違いによる手戻りもなく、画像読取装置内へのごみの進入を防ぐことができる。
【図面の簡単な説明】
【００１０】
【図１】図１は本発明の実施例１における図２のスキャナ部の概略を示す断面図である。
【図２】図２は本発明の実施例１における複合装置の概略を示す外観図である。
【図３】図３は図２のプリンタ部の概略を示す断面図である。
【図４】図４は図１の読取部における外装フレーム部を示す斜視図である。
【図５】図５は図４のＸ−Ｘ断面図である。
【図６】図６は図１の原稿すくい上げ部材を示す断面図である。
【図７】図７は図６の原稿すくい上げ部材周辺要部を示す断面図である。
【図８】図８は従来のスキャナ部における原稿すくい上げ部材周辺要部を示す断面図である。
【図９】図９は本発明の実施例２における図１の原稿すくい上げ部材周辺要部を示す断面図である。
【図１０】図１０は原稿すくい上げ部材周辺要部の変形例を示す断面図である。
【発明を実施するための形態】
【００１１】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１２】
（実施例１の複合装置の構成）
図２は、本発明の実施例１における複合装置の概略を示す外観図である。
【００１３】
複合装置１は、画像を形成して記録用媒体Ｐに画像を印刷する画像形成装置（例えば、プリンタ部）１０と、画像を読取る画像読取装置（例えば、スキャナ部）４０とから構成されており、スキャナ部４０がプリンタ部１０の上部に載置されている。プリンタ部１０とスキャナ部４０とは、図示しない機械的接続部材によって結合され、図示しない電送部材によって電気的な接続を得ている。
【００１４】
更に、複合装置１は、図示しないが、パソコン等の上位装置との通信を行う上位通信手段、スキャナ部４０で読取った画像データを外部のファクシミリ装置に送信し又、外部から受信するファクシミリ電送手段、及びスキャナ部４０で読取った画像データを外部の電子機器へ電送し、又は外部から電送される外部電送手段を有している。
【００１５】
複合装置１は、装置機能として以下の（１）〜（４）に挙げた機能を有するものである。
【００１６】
（１）  スキャナ部４０で、読取った画像データ信号をプリンタ部１０へ電送し、プリンタ部１０により記録用媒体Ｐに画像を形成する。
【００１７】
（２）  例えば、パーソナルコンピュータ（以下「パソコン」という。）等の外部の電子機器からの電送信号を受けて、プリンタ部１０により記録用媒体Ｐに画像を形成する。
【００１８】
（３）  スキャナ部４０で読取った画像データをファクシミリ機能によって外部のファクシミリ装置に電送し、又は外部から電送される。
【００１９】
（４）  スキャナ部４０で読取った画像データを例えば、パソコンやＵＳＢ(Universal  Serial  Bus)メモリ等の外部の電子機器に電送し、又は伝送される。
【００２０】
（実施例１のプリンタ部の構成）
図３は、図２のプリンタ部の概略を示す断面図である。
【００２１】
プリンタ部１０は、画像を形成する手段として公知の電子写真方式を用いて記録用媒体Ｐに画像を形成し記録することが可能な機構部２０を内蔵している。機構部２０の下部には、記録用媒体Ｐを収納し機構部２０へ供給する給紙カセット１１を備えている。給紙ローラ１２は、給紙カセット１１から記録用媒体Ｐを、１枚ずつ繰出して機構部２０へ供給するための機構で、ワンウェイクラッチ機能を内蔵している。給紙ローラ１２の下流側には、給紙ローラ１２により記録用媒体Ｐが繰出され通過したことを検知するセンサ２１が設けられている。
【００２２】
センサ２１の下流側には、記録用媒体Ｐの斜行矯正手段を有するレジストローラ２２及びレジストローラ２２を記録用媒体Ｐが通過したことを検知するセンサ２３が設けられている。搬送ローラ２４は、記録用媒体Ｐを画像形成ユニット３０へ搬送する機能を有し、ライトセンサ２５は、画像形成ユニット３０内部で画像の記録を開始するタイミングを検知するものである。
【００２３】
画像形成ユニット３０は、印字プロセスカートリッジ３１と、記録用媒体Ｐを搬送するための搬送ベルトユニット３６とを有している。印字プロセスカートリッジ３１は、静電潜像を形成して記録用媒体Ｐに転写する感光ドラム３２と、トナーを保持して感光ドラム３２等に供給するトナーカートリッジ３３と、感光ドラム３２を帯電させるチャージローラ３４とを有している。なお、画像形成ユニット３０を構成する複数の印字プロセスカートリッジ３１（＝３１Ｋ、３１Ｙ、３１Ｍ、３１Ｃ）は、４色の現像剤像を形成するため、４セットが印刷用媒体Ｐの上流側から下流側への走行方向に対して、ブラック、イエロ一、マゼンタ及びシアンの順に配列されている。特にこれらを区別する必要のないときは、単に、印字プロセスカートリッジ３１と記述する。感光ドラム３２、トナーカートリッジ３３、チャージローラ３４、及び転写ローラ３５についても同様とする。
【００２４】
画像形成ユニット３０の下流側には、記録用媒体Ｐ上に印刷された画像を熱と圧力により定着させる定着ユニット２６と、記録用媒体Ｐをプリンタ部１０の外へ排出するための排出ユニット２７とが備えられている。
【００２５】
感光ドラム３２は、チャージローラ３４により帯電させられ、図示しない印字ヘッドからの発光ダイオード（以下「ＬＥＤ」という。）光を受けることにより静電潜像を形成し、トナーカートリッジ３３からのトナーの供給によって静電潜像を現像する。記録用媒体Ｐは搬送ベルトユニット３６により搬送される。転写ローラ３５は、感光ドラム３２に現像された静電現像を記録用媒体Ｐに転写する。記録用媒体Ｐに転写された静電現像は、定着ユニット２６内を通過し、熱と圧力とにより記録用媒体Ｐ上に固着され、画像の形成が完了する。その後、記録用媒体Ｐは排出ユニット２７によりプリンタ部１０の外へ排出される。
【００２６】
（実施例１のスキャナ部の構成）
図１は、本発明の実施例１における図２のスキャナ部の概略を示す断面図である。
【００２７】
スキャナ部４０は、読取部４０ｂの上部にＡＤＦ４０ａが設けられた構成となっており、ＡＤＦ４０ａには原稿トレイ４１が設けられていて、読取る原稿４２をセットするようになっている。原稿トレイ４１の根元近傍には原稿４２をＡＤＦ４０ａ内に繰出すためのピックアップローラ４３が設けられており、更に下流にはピックアップローラ４３により繰出された原稿４２を１枚ずつ分離搬送するための分離ローラ４４と分離ローラ４４の対向位置に分離パッド４５が設けられている。
【００２８】
ＡＤＦ４０ａは、外装部材６０を有しており、内部に原稿４２の搬送路４６が形成されていて搬送路４６には搬送ローラ４７が設けられ、対向位置には原稿４２を加圧し搬送力を与えるプレッシャローラ４８が設けられている。
【００２９】
読取部４０ｂの内部には、第１の主面（例えば、表面）５０ｃ及び第２の主面（例えば、裏面）５０ｄとを有する板状の透明部材（例えば、ＡＤＦ用読取りガラス）５０が水平方向に配置されている。原稿押さえ部材４９は、上部に備えたスプリング５１によりＡＤＦ用読取りガラス５０に付勢されており、搬送路４６内を搬送された原稿４２を、ＡＤＦ用読取りガラス５０に押圧している。排出ローラ５２と、その対向位置に設けられたプレッシャローラ５３とは、読取りを完了した原稿４２をＡＤＦ４０ａの外部へ排出するものである。
【００３０】
読取りセンサ５４は、ＡＤＦ用読取りガラス５０の裏面５０ｄに覆われている。読取りセンサ５４は、光学式反射型イメージセンサで、ＡＤＦ用読取りガラス５０上の原稿４２に光を照射する発光ダイオードと、原稿４２からの反射光を感知して電気信号に変換する受光ダイオードとにより構成されている。読取りセンサ５４は、図示しない駆動機構により読取部４０ｂの内部を矢印Ｚの水平方向に往復運動可能に設けられている。ＡＤＦ読取りの場合は、図１に示すように、読取りセンサ５４は、ＡＤＦ用読取りガラス５０を挟んで原稿押さえ部材４９の対向位置で停止している。原稿ガイド部材としての原稿すくい上げ部材５５は、ＡＤＦ用読取りガラス５０を通過した原稿４２を排出ローラ５２へと導くために原稿４２をすくい上げる機能を有している。スタッカ５６は、排出された原稿４２をスタックするためのものであり、その下部にＦＢ用読取りガラス５７が備えられている。
【００３１】
（実施例１の読取部の外装フレーム部の構成）
図４は、図１の読取部における外装フレーム部を示す斜視図であり、図５は、図４のＸ−Ｘ断面図である。
【００３２】
フレーム６０は、開口部６０ａと６０ｂとを有し、開口部６０ａと６０ｂとの間に原稿すくい上げ部材５５を備えている。更に、フレーム６０の裏側には、ＡＤＦ用読取りガラス５０とＦＢ用読取りガラス５７とが、原稿すくい上げ部材５５を挟んでそれぞれ開口部６０ａと６０ｂを覆う位置に設けられている。ＡＤＦ用読取りガラス５０は、両面接着テープ６２ａ，６２ｂ，６２ｃによってフレーム６０に接着固定され、ＦＢ用読取りガラス５７は、両面接着テープ６１ａ，６１ｂ，６１ｃによってフレーム６０に接着固定されている。
【００３３】
（実施例１の原稿すくい上げ部材の構成）
図６は、図１の原稿すくい上げ部材を示す断面図である。
【００３４】
原稿ガイド部材としての原稿すくい上げ部材５５は、断面がほぼ三角形状をなしており、図１の紙面垂直方向に延設されている。原稿すくい上げ部材５５は、その上流側の一端部５５ｄと、下流側の突起状の他端部５５ａとを有している。他端部５５ａは、ＦＢ用読取りガラス５７と係合しており、一端部５５ｄには、略三角形状の突出部５５ｃが形成されている。この突出部５５ｃの５５ｅは、ＡＤＦ用読取りガラス５０の下流側に係合するようになっている。一端部５５ｄと他端部５５ａとの間には、上流側から下流側へ向かって上昇する斜面５５ｂが設けられている。
【００３５】
原稿すくい上げ部材５５は、材料として、ポリカーボネート（ＰＣ）又はＡＢＳ樹脂を用いて形成されている。一端部５５ｄ及び突出部５５ｃは、柔らかく弾性率の高い材料で弾性変形するものが望ましいが、原稿すくい上げ部材５５を一体的に形成することを考慮すると一般的な外部エンクロージャとしてのエンジニアリングプラスチックであってもよい。塑性変形する材料の場合は、熱によるクリープが発生する虞があり好ましくない。
【００３６】
図７は、図６の原稿すくい上げ部材周辺部要部を示す断面図である。
ＦＢ用読取りガラス５７は、原稿すくい上げ部材５５の他端部５５ａの下方に設けられ、他端部５５ａは、ＦＢ用読取り原稿セットの位置合わせ基準として使用される。原稿すくい上げ部材５５の上方には搬送されてきた原稿４２をすくい上げるようにガイドして搬送方向を変えるための斜面５５ｂが備えられ、斜面５５ｂの一端部５５ｄはＡＤＦ用読取りガラス５０より低い位置を成し、段差Ｌｌを構成している。更に、一端部５５ｄには突出部５５ｃが設けられ、ＡＤＦ用読取りガラス５０の端面５０ａの下方には面取り５０ｂが設けられている。
【００３７】
ＡＤＦ用読取りガラス５０と原稿すくい上げ部材５５とを組立てる場合、ＡＤＦ用読取りガラス５０の端面５０ａが原稿すくい上げ部材５５の一端部５５ｄに当接する前に面取り５０ｂと突出部５５ｃとが当接する。組立てが完了し端面５０ａが一端部５５ｄに当接する時は突出部５５ｃの先端部５５ｅは面取り５０ｂによって弾性変形させられ、面取り５０ｂに圧接される構造となっている。
【００３８】
（実施例１のスキャナ部の動作）
スキャナ部４０の画像読取動作について図１を用いて説明する。
【００３９】
画像読取り動作は、ＡＤＦ４０ａによって搬送された原稿４２を読取りセンサ５４が所定の位置に停止したまま読取るＡＤＦ用読取り動作と、ＦＢ用読取りガラス５７に載置した原稿４２を読取りセンサ５４が読取部４０ｂ内を副走査線方向に移動しながら読取るＦＢ用読取り動作がある。読取りセンサ５４は、図示しない駆動機構と制御部の制御により動作するものである。
【００４０】
スキャナ部４０の画像読取り動作のうち、ＡＤＦ読取り動作について説明する。
原稿トレイ４１に原稿４２が載置され、所定の位置にセットされる。図示しない操作部のスタートボタンが押下されると、図示しないモータの駆動によってピックアップローラ４３が回転し、原稿４２はＡＤＦ４０ａ内に繰出される。繰出された原稿４２は、分離ローラ４４と分離パッド４５との作用により分離パッド４５側は、走行原稿４２に対しブレーキを掛けるように作用し、分離ローラ４４側では、ＡＤＦ４０ａ内に走行原稿４２を０繰出すように作用するので、原稿４２は、１枚ずつ分離されて搬送される。
【００４１】
搬送された原稿４２は、搬送路４６内を進み搬送ローラ４７とプレッシャローラ４８とにより搬送力を保ったままＡＤＦ用読取りガラス５０上を搬送される。このとき、スプリング５１によりＡＤＦ用読取りガラス５０への付勢力を受けた原稿押さえ部材４９の作用により原稿４２はＡＤＦ用読取りガラス５０から浮き上がることなく搬送され、読取りセンサ５４によって画像が読取られる。読取りセンサ５４により画像読取りを終えた原稿４２は、原稿すくい上げ部材５５によりガイドされ排出ローラ５２及びプレッシャローラ５３方向へ搬送され、スタッカ５６上へ排出される。
【００４２】
このようにして読取られた画像は、画像データとして図示しない電送部材によってプリンタ部１０へ送られ、前述したプリンタ部１０の動作によって画像が形成される。
【００４３】
ところで、原稿４２がＡＤＦ４０ａ内を搬送されると、搬送路４６内にあるごみが原稿４２と一緒に搬送されてしまったり、原稿４２が擦れて発生した紙粉が一緒に搬送されたしまうことがある。これらのごみや紙粉は、ＡＤＦ用読取りガラス５０と原稿すくい上げ部材５５の隙間に進入しようとするが、原稿すくい上げ部材５５に備えられた突出部５５ｃの先端部５５ｅはＡＤＦ用読取りガラス５０の面取り５０ｂに対し変形することで弾性的に圧接しているため、ＡＤＦ用読取りガラス５０と原稿すくい上げ部材５５とが密着することができ、隙間からのごみや紙粉の進入を防止することができる。
【００４４】
（実施例１のプリンタ部の動作）
プリンタ部１０の画像形成動作について、図３を用いて説明する。
【００４５】
スキャナ部４０において、原稿４２のデータが読取られると、給紙カセット１１にセットされた記録用媒体Ｐが給紙ローラ１２によって給紙カセット１１から１枚ずつ繰出され、レジストローラ２２及び搬送ローラ２４により画像形成ユニット３０へ搬送される。画像形成ユニット３０内でトナー像を転写ローラ３５によって転写された記録用媒体Ｐは、定着ユニット２６へ搬送され、記録用媒体Ｐ上のトナーを熱と圧力により固着させられた後、記録用媒体Ｐは排出ユニット２７内を通過しプリンタ部１０の外へ排出され、画像の形成が終了する。
【００４６】
（実施例１の効果）
本実施例１の画像読取装置及び複合装置によれば、次の（１）及び（２）のような効果がある。
【００４７】
（１）  図８は、従来のスキャナ部における原稿すくい上げ部材周辺部を示す断面図である。
【００４８】
図８で示す従来の原稿すくい上げ部材周辺要部は、紙粉やごみが読取装置４０ｂ内部に進入することを防ぐために、ＡＤＦ用読取りガラス５０とＦＢ読取り用ガラス５７とを一体で構成したガラス８１を用いる技術であり、原稿４２の厚みより薄い厚みの先端を持った原稿すくい上げ部材８２と原稿すくい上げ部材８２の下流に原稿すくい上げガイド８３を有しガラス８１上に接着固定している。この原稿すくい上げ部材８２は、例えば、原稿４２の搬送方向下流で読取部の直後のガラス８１上に、流動体又は接着剤を塗布又は接着して硬化することにより形成している。このため、原稿の搬送路上において原稿すくい上げ部材８２の先端が原稿４２の先端に対して突出物となり、原稿４２の搬送の妨げとなるため、走行原稿４２が搬送ジャムを起こしてしまう。このような不都合を本実施例１では、巧みに解決している。
【００４９】
（２）  即ち、本実施例１によれば、原稿４２の搬送路上に原稿搬送の妨げになるような突出物がないように構成されていりので、原稿の搬送ジャムが無い安定した原稿搬送ができる。更に、原稿すくい部材５５の先端部５５ｅが変形してＡＤＦ用読取りガラス５０に圧接することで密着状態が保たれ、ＡＤＦ用読取りガラス５０と原稿すくい上げ部材５５の隙間を塞ぐことができるため、読取部４０ｂ内へのごみの進入を防ぐことが可能となる。
【実施例２】
【００５０】
（実施例２の構成）
図９は、本発明の実施例２における図１の原稿すくい上げ部材周辺要部を示す断面図であり、実施例１を示す図７中の要素と共通の要素には共通の符号が付されている。
【００５１】
実施例２における複合装置１、スキャナ部４０及びプリンタ部１０の構成は、実施例１とほぼ同様である。実施例２では実施例１に対して原稿ガイド部材としての原稿すくい上げ部周辺要部の構成が異なっている。
【００５２】
図９を用いて、実施例２の原稿すくい上げ部材５５Ａ周辺の要部について説明する。
【００５３】
ＦＢ用読取りガラス５７は、原稿すくい上げ部材５５Ａの他端部５５Ａａの下方に設けられ、他端部５５ＡａはＦＢ用読取り原稿セットの位置合わせ基準として使用される。原稿すくい上げ部材５５Ａの上面には搬送されてきた原稿４２をすくい上げるようにガイドして搬送方向を変えるための斜面５５Ａｂが備えられ、斜面５５Ａｂの一端部５５ＡｄはＡＤＦ用読取りガラス５０より低くい位置を成し、段差Ｌ２を構成している。更に、一端部５５Ａｄの下方には切欠き部７１が設けられており、ＡＤＦ用読取りガラス５０の端面７３には切欠き部７２が設けられている。
【００５４】
ＡＤＦ用読取りガラス５０と原稿すくい上げ部材５５Ａを組立てる場合には、ＡＤＦ用読取りガラス５０に設けられた切欠き部７２と原稿すくい上げ部材５５Ａの一端部５５Ａｄの下方に設けられた切欠き部７１とを係合し組立てる。
【００５５】
（実施例２の動作）
実施例２における複合装置１、スキャナ部４０及びプリンタ部１０の動作は、実施例１とほぼ同様である。実施例２では実施例１に対して原稿すくい上げ部周辺要部の動作が異なっている。
【００５６】
図９によれば、原稿すくい上げ部材５５Ａに備えられた切欠き部７１は、ＡＤＦ用読取りガラス５０に設けられた切欠き部７２と係合することで密着し、隙間からの紙粉やごみの進入を防止する。
【００５７】
（実施例２の効果）
本発明の実施例２の画像読取装置及び複合装置によれば、原稿４２の搬送路上に原稿搬送の妨げになるような突出物がないので、原稿４２の搬送ジャムが無い安定した原稿搬送ができる。更に、原稿すくい上げ部材５５ＡとＡＤＦ用読取りガラス５０の組立ては単純な係合による組立てで、ＡＤＦ用読取りガラス５０と原稿すくい上げ部材５５Ａの隙間を塞ぐことができるため、組立て間違いによる手戻りもなく、読取部４０ｂ内へのごみの進入を防ぐことが可能となる。
【００５８】
（変形例）
本発明は、上記実施例に限定されず、種々の利用形態や変形が可能である。この利用形態や変形例としては、例えば、次の（ａ）〜（ｆ）のようなものがある。
【００５９】
（ａ）  図１０（ａ），（ｂ）は、原稿すくい上げ部材周辺要部の変形例を示す断面図である。
実施例１の原稿すくい上げ部材５５の突出部５５ｃ及び実施例２の一端部５５Ａｄに代えて、例えば、天然ゴムやニトリルゴム、シリコーンゴム、アクリルゴム等の合成ゴム等で形成されたシール部材を用いてもよい。
【００６０】
（ｂ）  画像読取装置として、スキャナ部４０を用いて説明したが、スキャナだけではなく複写機、ファクシミリ装置、ＭＦＰ等であっても適用可能である。
【００６１】
（ｃ）  プリンタ部１０は、ＬＥＤタンデムカラー方式により記録用媒体に画像を形成し記録する場合で説明したが、プリンタ部１０は、レーザ方式、インクジェット方式、ドットマトリクスインパクト方式により画像を形成し記録するものであってもよい。
【００６２】
（ｄ）  読取りセンサ５４として、発光ダイオードと受光ダイオードを有する光学式イメージセンサで説明したが、相補性ＭＯＳトランジスタ（ＣＭＯＳ）イメージセンサや電荷結合素子（ＣＣＤ）イメージセンサを用いてもよい。
【００６３】
（ｅ）  スキャナ部４０につては、読取部４０ｂの上部にＡＤＦ４０ａを備えた構成で説明したが、読取部４０ｂに、原稿４２をマニュアル挿入する手差し機構を設けるようにしてもよい。
【００６４】
（ｆ）  スキャナ部４０で読取ったデータに基づき、プリンタ部１０で印刷する例で説明したが、パソコンやファクシミリ装置等の外部から入力されたデータに基づきプリンタ部１０で印刷することも可能である。
【符号の説明】
【００６５】
１                      複合装置
１０                      プリンタ部
２０                      機構部
２２                      レジストローラ
３０                      画像形成ユニット
３１                      印字プロセスカートリッジ
４０                      スキャナ部
４０ａ                    自動原稿搬送装置（ＡＤＦ）
４０ｂ                    読取部
４１                      原稿トレイ
４２                      原稿
４９                      原稿押さえ部材
５０                      ＡＤＦ用読取りガラス
５０ａ                    端面
５０ｂ                    面取り
５１                      スプリング
５２                      排出ローラ
５３                      プレッシャローラ
５４                      読取りセンサ
５５，５５Ａ，５５Ｂ      原稿すくい上げ部材
５５ａ，５５Ａａ          他端部
５５ｂ，５５Ａｂ          斜面
５５ｃ，５５Ｂｃ          突出部
５５ｄ，５５Ａｄ          一端部
５５ｅ                    先端部
５６                      スタッカ
５７                      ＦＢ用読取りガラス
６０                      フレーム
６０ａ，６０ｂ            開口部
６１ａ、６１ｂ，６１ｃ    両面接着テープ
６２ａ，６２ｂ，６２ｃ    両面接着テープ
７１，７２                切欠き部
７３                      端面
８１                      ガラス
８２                      原稿すくい上げ部材
８３                      原稿すくい上げガイド
【図１】
2011066707.tif 000003
【図２】
2011066707.tif 000004
【図３】
2011066707.tif 000005
【図４】
2011066707.tif 000006
【図５】
2011066707.tif 000007
【図６】
2011066707.tif 000008
【図７】
2011066707.tif 000009
【図８】
2011066707.tif 000010
【図９】
2011066707.tif 000011
【図１０】
2011066707.tif 000012